(57)【要約】【課題】簡易な構成でかつ収納性や携帯性の向上を図る。【解決手段】折り畳み椅子は、板状に形成され平面視において直線状に形成された座面曲げ部を有し座面曲げ部を支点に２つに折り曲げ可能な座面板と、板状に形成され相互に対向して配置されて座面曲げ部の延伸方向に対して直角方向へ相互に開閉可能に構成され開状態において座面板を支持する２枚の側面板と、を備える。２枚の側面板が相互に離間して開状態になると座面板が開いて側面板の上端部に対して開閉方向へ延出した延出領域を有する座面が形成され、２枚の側面板が相互に接近して閉状態になると座面板が前記座面曲げ部を支点に２つに折れ曲がって折り畳まれる。【選択図】図１
2018114210.tif 000002
【特許請求の範囲】
【請求項１】
板状に形成され平面視において直線状に形成された座面曲げ部を有し前記座面曲げ部を支点に２つに折り曲げ可能な座面板と、
板状に形成され相互に対向して配置されて前記座面曲げ部の延伸方向に対して直角方向へ相互に開閉可能に構成され開状態において前記座面板を支持する２枚の側面板と、を備え、
２枚の前記側面板が相互に離間して開状態になると前記座面板が開いて前記側面板の上端部に対して開閉方向へ延出した延出領域を有する座面が形成され、２枚の前記側面板が相互に接近して閉状態になると前記座面板が前記座面曲げ部を支点に２つに折れ曲がって折り畳まれる、
折り畳み椅子。
【請求項２】
前記座面板は、開状態において前記座面曲げ部の延伸方向の一方側へ向かって先細る形状に形成されている、
請求項１に記載の折り畳み椅子。
【請求項３】
前記座面板は、前記開状態において前記座面曲げ部の延伸方向の中央部に対して少なくとも一方側の端部が反り上がるように湾曲した座面を形成する、
請求項１又は２に記載の折り畳み椅子。
【請求項４】
前記側面板は、当該側面板の上端部から下端部に亘って形成された２つの側面曲げ部を有し前記側面曲げ部を支点に折り曲げ可能に構成され、
前記側面曲げ部は、前記側面板の中央部から外側へ膨らむように湾曲した形状に形成されている、
請求項１から３のいずれか一項に記載の折り畳み椅子。
【発明の詳細な説明】
【技術分野】
【０００１】
本発明の実施形態は、折り畳み椅子に関する。
【背景技術】
【０００２】
従来、例えば使用者の正座を補助するための椅子がある。このような椅子の中には、例えば引用文献１のように、折り畳み可能に構成されたものがある。しかしながら、このような従来構成の折り畳み椅子は、折り畳むための構造が比較的複雑となっていた。また、従来構成の折り畳み椅子は、折り畳んだ状態であっても収納したり携帯したりする際にかさばるため、収納性や携帯性に関して改善の余地があった。
【先行技術文献】
【特許文献】
【０００３】
【特許文献１】特開２０１１−２２９８１３号公報
【発明の概要】
【発明が解決しようとする課題】
【０００４】
そこで、簡易な構成でかつ収納性や携帯性の向上を図った折り畳み椅子を提供する。
【課題を解決するための手段】
【０００５】
実施形態の折り畳み椅子は、板状に形成され平面視において直線状に形成された座面曲げ部を有し前記座面曲げ部を支点に２つに折り曲げ可能な座面板と、板状に形成され相互に対向して配置されて前記座面曲げ部の延伸方向に対して直角方向へ相互に開閉可能に構成され開状態において前記座面板を支持する２枚の側面板と、を備える。２枚の前記側面板が相互に離間して開状態になると前記座面板が開いて前記側面板の上端部に対して開閉方向へ延出した延出領域を有する座面が形成され、２枚の前記側面板が相互に接近して閉状態になると前記座面板が前記座面曲げ部を支点に２つに折れ曲がって折り畳まれる。
【図面の簡単な説明】
【０００６】
【図１】一実施形態による開状態の折り畳み椅子を示す斜視図
【図２】一実施形態による開状態の折り畳み椅子を示す左側面図
【図３】一実施形態による開状態の折り畳み椅子を示す平面図
【図４】一実施形態による開状態の折り畳み椅子を示す底面図
【図５】一実施形態による開状態の折り畳み椅子を示す正面図
【図６】一実施形態による開状態の折り畳み椅子を示す背面図
【図７】一実施形態による閉状態の折り畳み椅子を示す斜視図
【図８】一実施形態による閉状態の折り畳み椅子を示す左側面図
【図９】一実施形態による閉状態の折り畳み椅子を示す平面図
【図１０】一実施形態による閉状態の折り畳み椅子を示す底面図
【図１１】一実施形態による閉状態の折り畳み椅子を示す正面図
【図１２】一実施形態による閉状態の折り畳み椅子を示す背面図
【図１３】一実施形態による折り畳み椅子について座面板を示す図
【図１４】一実施形態による折り畳み椅子について側面板を示す図
【図１５】一実施形態による折り畳み椅子を開く際の動作の一例を示す図（その１）
【図１６】一実施形態による折り畳み椅子を開く際の動作の一例を示す図（その２）
【図１７】一実施形態による折り畳み椅子を閉じる際の動作の一例を示す図（その１）
【図１８】一実施形態による折り畳み椅子を閉じる際の動作の一例を示す図（その２）
【図１９】一実施形態による折り畳み椅子の使用状態の一例を示す図
【発明を実施するための形態】
【０００７】
一実施形態による折り畳み椅子について、図面を参照して説明する。
各図において、図１〜図６は、折り畳み椅子１０の開状態を示す図である。図７〜図１２は、折り畳み椅子１０の閉状態を示す図である。なお、折り畳み椅子１０の開状態を示す右側面図は、図２に示す左側面図の鏡像となるため省略している。同様に、折り畳み椅子１０の開状態を示す右側面図は、図８に示す左側面図の鏡像となるため省略している。
【０００８】
以下の説明においては、折り畳み椅子１０を単に椅子１０と称する。また、以下の説明において、椅子１０の前後、左右、及び上下は、椅子１０を使用する際の使用者の姿勢を基準としており、具体的には各図に矢印で示す通りである。そして、以下の説明において、平面視とは、椅子１０を上方から見た態様を意味し、側面視とは、椅子１０を左右側方から見た態様を意味する。また、同様に、正面視及び背面視とは、椅子１０を正面側及び背面側から見た態様を意味する。なお、椅子１０の前後、左右、及び上下は、説明を容易にするために便宜的に設定したものであり、実施形態の説明の記載及び図に示した態様に限定されない。
【０００９】
また、以下の説明において、山折りとは、各部材に形成された溝状の曲げ部を挟んで両側に位置する２つの領域が、互いに離間する方向へ折れ曲がることをいう。また、谷折りとは、曲げ部を挟んで両側に位置する２つの領域が、互いに接近する方向へ折れ曲がることをいう。
【００１０】
椅子１０は、図１〜図６に示す開状態つまり使用状態と、図７〜図１２に示す閉状態つまり折り畳み状態とに相互に切替可能に構成されている。折り畳み椅子１０は、図１等に示す開状態となることで椅子としての機能を発揮し、図７等に示す閉状態となることで全体として板状に折り畳まれる。使用者は、椅子１０を図１に示す開状態にして使用する。使用者は、例えば図１９に示すように、正座を補助するために、椅子１０を使用者の臀部と床面との間に置いて使用することができる。また、使用者は、例えば椅子１０を持ち運ぶ際に、図７に示すように椅子１０を閉状態にして折り畳むことができる。
【００１１】
本実施形態の椅子１０は、開状態において、上下方向の寸法すなわち高さ寸法が約１５ｃｍであり、左右方向の最大寸法すなわち最大幅が約１９ｃｍであり、前後方向の寸法が約２１ｃｍである。また、本実施形態の椅子１０は、閉状態において、高さ寸法が約１９ｃｍであり、左右方向の幅寸法が約３〜５ｃｍであり、前後方向の寸法が約２５ｃｍである。なお、椅子１０の具体的な寸法は、上記したものに限定されない。
【００１２】
図１等に示すように、椅子１０は、１枚の座面板２０と、２枚の側面板３０と、を備えている。座面板２０は、例えばポリプロピレン等の樹脂製の成型品であって、図１３に示すように１枚の板状に構成されている。座面板２０は、２つに折り曲げ可能に構成されている。座面板２０は、図１及び図２に示すように、椅子１０の開状態において、前後方向の少なくとも一方側、この場合、前後方向の両端部が反り上がるように湾曲した板状の座面を形成している。
【００１３】
また、座面板２０は、側面板３０に組み付けられていない状態では、図１３に示すように、平坦な板状に構成されている。図３及び図１３に示すように、座面板２０は、全体として前後方向へ細長く変形した円形状に形成されている。この場合、椅子１０の長手方向すなわち座面板２０の長手方向は、椅子１０の前後方向となる。換言すれば、座面板２０は、いわゆる水滴形状若しくは自転車のサドル形状のように、全体として円形の前側を前方へ向かって先細らせた形状に形成されている。
【００１４】
図３及び図１３等に示すように、座面板２０は、座面曲げ部２１を有している。座面曲げ部２１は、座面板２０の外側面又は内側面に形成された山折りの溝部であり、座面板２０の長手方向つまり椅子１０の前後方向に沿って直線状に形成されている。座面板２０は、図７等に示すように、座面曲げ部２１を支点に山折りに折れ曲がることで、２つに折り曲げ可能に構成されている。図３及び図１３に示すように、座面板２０は、座面曲げ部２１に対して左右対称に構成されている。この場合、座面板２０の全領域のうち、座面曲げ部２１に対して右側部分を左側領域２２１とし、座面曲げ部２１に対して左側部分を右側領域２２２とする。
【００１５】
また、座面板２０は、図１３に示すように、複数の穴部２３を有している。各穴部２３は、座面板２０を厚み方向へ円形に貫通して形成されている。この場合、各穴部２３は、座面板２０の左側領域２２１及び右側領域２２２にそれぞれ３個ずつ形成されている。左側領域２２１及び右側領域２２２に形成された各穴部２３は、各領域２２１、２２２の外周部分の縁部を除いた部分すなわち各領域２２１、２２２における幅方向の中央部分にあって、前後方向に並べて配置されている。
【００１６】
２枚の側面板３０は、図１、図５、及び図６等に示すように、椅子１０の開状態で座面板２０を支持するものであり、相互に対向して配置されている。側面板３０は、例えばポリプロピレン等の樹脂材料の成型品である。側面板３０は、図１４等に示すように、全体として前後方向に長い略矩形の板状に形成されている。なお、椅子１０の左側に設けられる側面板３０と、椅子１０の右側に設けられる側面板３０とは、相互に反転させたような鏡像関係となっているため、本実施形態では共通の符号を付して説明している。
【００１７】
本実施形態において、側面板３０は、図１４に示すように、前後方向の中心に対して非対象形状に構成されている。側面板３０は、第１接続部３１、第２接続部３２、第３接続部３３、及び側面部３４を有している。第１接続部３１は、側面板３０の前端部分つまり長手方向の一方側の端部分に設けられており、上下方向に細長い略矩形状に形成されている。第２接続部３２は、側面板３０の後端部分つまり長手方向の他方側の端部分に設けられており、第１接続部３１と同様に、上下方向に細長い略矩形状に形成されている。第３接続部３３は、側面板３０の上部に設けられており、前後方向へ長い円弧状に形成されている。
【００１８】
側面部３４は、第１接続部３１、第２接続部３２、及び第３接続部３３に囲まれた部分である。側面部３４は、図１等に示す開状態の椅子１０において、椅子１０の側面部分を構成する。図１等に示すように、椅子１０を開状態で使用する際、側面部３４の下端部が地面と接触する。側面部３４は、図１４等に示すように、中央領域３４１と、前側領域３４２と、後側領域３４３と、を有している。中央領域３４１は、側面部３４における前後方向の中央部分の領域である。前側領域３４２は、中央領域３４１に対して前側の領域である。後側領域３４３は、中央領域３４１に対して後側の領域である。
【００１９】
また、側面板３０は、複数の曲げ部、この場合、図１４等に示すように、第１接続曲げ部３５１、第２接続曲げ部３５２、第３接続曲げ部３５３、第１側面曲げ部３６１、及び第２側面曲げ部３６２を有している。各曲げ部３５１、３５２、３５３、３６１、３６２は、側面板３０の外側面又は内側面に形成された溝部である。左右の側面板３０は、各曲げ部３５１、３５２、３５３、３６１、３６２を支点にして山折り又は谷折り方向に折り曲げることで、椅子１０の左右方向すなわち幅方向へ相互に膨らむように離間可能に構成されている。
【００２０】
第１接続曲げ部３５１は、第１接続部３１の長手方向すなわち上下方向に沿って直線状に形成された谷折りの溝部である。第１接続曲げ部３５１は、側面部３４の前側領域３４２と第１接続部３１との境界を形成している。第２接続曲げ部３５２は、第２接続部３２の長手方向すなわち上下方向に沿って直線状に形成された谷折りの溝部である。第２接続曲げ部３５２は、側面部３４の後側領域３４３と第２接続部３２との境界を形成している。第３接続曲げ部３５３は、中央領域３４１の上部に設けられており、下方へ向かってやや膨むような湾曲形状に形成された山折りの溝部である。第３接続曲げ部３５３は、側面部３４の中央領域３４１と第３接続曲げ部３５３との境界を形成している。
【００２１】
第１側面曲げ部３６１及び第２側面曲げ部３６２は、それぞれ側面板３０の上端部から下端部に亘って形成された山折りの溝部である。第１側面曲げ部３６１は、側面部３４における中央領域３４１と前側領域３４２との境界を形成している。第２側面曲げ部３６２は、側面部３４における中央領域３４１と後側領域３４３との境界を形成している
【００２２】
第１側面曲げ部３６１と第２側面曲げ部３６２とは、図１４に示すように、側面視において側面板３０の前後方向の中央部から外側へ相互に膨らむように湾曲した形状に形成されている。この場合、側面視において、第１側面曲げ部３６１の下端部Ａ１と第２側面曲げ部３６２の下端部Ａ２との距離は、第１側面曲げ部３６１の上端部Ｂ１と第２側面曲げ部３６２の上端部Ｂ２との距離よりも小さい。また、第１側面曲げ部３６１と第２側面曲げ部３６２との間の距離は、側面視において上下方向の途中部分で最大となり、下端部で最小となる。また、第２側面曲げ部３６２の上端部Ｂ２は、第１側面曲げ部３６１の上端部Ｂ１よりも上方に位置している。すなわち、第２側面曲げ部３６２の長さ寸法は、第１側面曲げ部３６１の長さ寸法よりも短い。
【００２３】
また、図５に示すように、開状態の椅子１０について、左右の側面板３０、３０の第１側面曲げ部３６１、３６１を見ると、左右の側面板３０、３０の各第１側面曲げ部３６１、３６１は、正面視において、上下方向の中央部が最接近し、かつ上下方向へ向かうにつれて相互の距離が広がるように湾曲している。この場合、左右の側面板３０、３０において、第１側面曲げ部３６１、３６１の下端部Ａ１、Ａ１間の距離寸法は、第１側面曲げ部３６１、３６１の上端部Ｂ１、Ｂ１間の距離寸法よりも大きく設定されている。
【００２４】
同様に、図６に示すように、開状態の椅子１０について、左右の側面板３０、３０の第２側面曲げ部３６２、３６２を見ると、左右の側面板３０、３０の各第２側面曲げ部３６２、３６２は、背面視において、上下方向の中央部が最接近し、かつ上下方向へ向かうにつれて相互の距離が広がるように湾曲している。この場合、左右の側面板３０、３０において、第２側面曲げ部３６２、３６２の下端部Ａ２、Ａ２間の距離寸法は、第２側面曲げ部３６２、３６２の上端部Ｂ２、Ｂ２間の距離寸法よりも大きく設定されている。
【００２５】
また、図１４に示すように、側面板３０は、複数の穴部３７１、３７２、３７３、３７４を有している。各穴部３７１、３７２、３７３、３７４は、それぞれ側面板３０を厚み方向に円形に貫いて形成されている。穴部３７１は、第１接続部３１において第１接続部３１の長手方向すなわち上下方向に沿って２つ設けられている。穴部３７２は、第２接続部３２において第２接続部３２の長手方向すなわち上下方向に沿って２つ設けられている。穴部３７３は、第３接続部３３において第３接続部３３の長手方向すなわち前後方向に沿って３つ設けられている。そして、穴部３７４は、側面部３４の中央領域３４１の上下及び前後の中央部分に設けられている。
【００２６】
左右の側面板３０、３０は、図７及び図１１、図１２等に示すように、互いの内側の面を対向させて重ね合わされた状態で、各穴部３７１、３７２にリベット等の締結具４１が通されることで、第１接続部３１、３１及び第２接続部３２、３２がそれぞれ相互に接続されている。すなわち、左右２枚の側面板３０、３０の前後の２辺部は、相互に接続されている。そして、２枚の側面板３０、３０は、第１接続曲げ部３５１、第２接続曲げ部３５３、第１側面曲げ部３６１、及び第２側面曲げ部３６２が折れ曲がることで、椅子１０の幅方向、すなわち平面視において座面曲げ部２１の延伸方向に対して直角方向へ相互に離接可能に構成されている。
【００２７】
左右の側面板３０、３０と座面板２０とは、左右の側面板３０、３０の各穴部３４１と座面板２０の各穴部２３とを重ね合わせた状態で、各穴部３４１及び各穴部２３に締結具４１が通されることによって、相互に接続されている。
【００２８】
穴部３７４には、図１等に示すように止め具４２が挿入される。止め具４２は、例えば金属製や樹脂製のスナップボタンやフックなどである。左右の側面板３０、３０に設けられた止め具４２、４２は、相互に着脱可能つまり係止可能に構成されている。使用者は、椅子１０を閉状態にした場合に、左右の側面板３０、３０の止め具４２、４２を相互に係止させる。これにより、椅子１０は、左右の側面板３０、３０が離間して開くことが防止されて、板状に折り畳まれた状態に保持される。
【００２９】
このように構成された椅子１０は、図１及び図７に示すように、座面曲げ部２１、第１接続曲げ部３５１、第２接続曲げ部３５２、第３接続曲げ部３５３、第１側面曲げ部３６１、第２側面曲げ部３６２の作用によって、幅方向すなわち側面板３０の厚み方向へ開閉可能となる。すなわち、椅子１０は、座面曲げ部２１、第１接続曲げ部３５１、第２接続曲げ部３５２、第３接続曲げ部３５３、第１側面曲げ部３６１、第２側面曲げ部３６２を曲げ伸ばしすることにより、開状態と閉状態とに開閉可能に構成されている。
【００３０】
本実施形態において、開状態とは、図１〜図６に示すように、左右２枚の側面板３０、３０が相互に離間する方向へ移動した状態をいう。また、閉状態とは、図７〜図１２に示すように、左右２枚の側面板３０、３０が相互に接近する方向へ移動した状態をいう。椅子１０は、開状態において、図１〜図６に示すように、一方側つまり下方側が開口した容器状となる。椅子１０は、開状態において椅子としての機能を発揮する。
【００３１】
使用者は、例えば図１５、図１６に示すようにして、椅子１０を開状態に広げることができる。すなわち、まず、使用者は、図１５に示すように、閉状態の椅子１０について、山折りに折れ曲がった座面板２０の左右両端部を両手で持つ。そして、使用者は、図１６に示すように、座面曲げ部２１を両手の親指で押しながら、その親指を支点に座面板２０の左右両端部を使用者側に引き寄せる。すると、座面曲げ部２１を支点にして座面板２０が板状に開くと共に、座面板２０の移動に伴って左右２枚の側面板３０、３０が相互に離間して開く。
【００３２】
椅子１０は、左右２枚の側面板３０、３０が相互に離間して開状態になると、座面板２０が開き、これにより湾曲した板状の座面が形成される。この場合、座面板２０は、図１及び図４〜図６等に示すように、側面板３０の上端部に対して開閉方向へ延出した形態となっている。すなわち、椅子１０の開状態において、座面板２０は、図１及び図４〜図６に示すように、左右２枚の側面板３０の上端部よりも左右水平方向すなわち椅子１０の幅方向へ延出した延出領域２４を有している。
【００３３】
このような椅子１０は、通常の折り畳み椅子としても使用可能であるが、正座を補助するための正座用の折り畳み椅子として好適である。すなわち、使用者は、例えば正座をする際に、図１９に示すように、座面板２０上に自身の臀部を載せると共に、延出領域２４の下方に自身の膝下部分を入れ込むようにして座る。つまり、使用者は、椅子１０の側面板３０の左右側面を、自身の膝下部分で挟み込むようにして正座する。これにより、使用者の体重の大部分が、椅子１０の座面板２０で受けられることから、使用者の膝下部分及び大腿部に加わる荷重を軽減することができる。その結果、正座に伴う足の痺れ等の負担を軽減することができる。なお、使用者は、正座以外の姿勢で椅子１０に座っても良い。
【００３４】
また、使用者は、例えば図１７及び図１８に示すようにして、椅子１０を閉状態に折り畳むことができる。すなわち、使用者は、まず、図１７に示すように、開状態の椅子１０について、湾曲した板状の座面板２０の左右両端部つまり延出領域２４を両手で持つ。そして、使用者は、図１８に示すように、座面板２０の左右両端部つまり延出領域２４を使用者とは反対側へ押し込む。すると、座面曲げ部２１を支点にして座面板２０が２つに折れ曲がると共に、座面板２０の移動に伴って左右２枚の側面板３０が相互に接する方向へ移動して閉じる。これにより、椅子１０は、全体として板状に折り畳まれる。
【００３５】
以上の実施形態によれば、椅子１０は、１枚の座面板２０と、２枚の側面板３０と、を備えている。座面板２０は、板状に形成され、平面視において直線状に形成された座面曲げ部２１を有し、座面曲げ部２１を支点に２つに折り曲げ可能に構成されている。左右２枚の側面板３０、３０は、板状に形成され、相互に対向して配置されている。左右２枚の側面板３０、３０は、座面曲げ部２１の延伸方向に対して直角方向つまり左右方向へ相互に開閉可能に構成されており、開状態において座面板２０を支持する。
【００３６】
そして、椅子１０は、２枚の側面板３０、３０が相互に離間して開状態になると、座面板２０が開いて座面が形成される。また、椅子１０は、２枚の側面板３０、３０が相互に接近して閉状態になると、座面板２０が座面曲げ部２１を支点に２つに折れ曲がって折り畳まれる。
【００３７】
これによれば、椅子１０の主要な構成を、１枚の座面板２０と、２枚の側面板３０、３０とによって構成することができる。そのため、椅子１０の部品点数を極力減らして簡易な構成とすることができる。また、椅子１０は、閉状態において、全体として２つに折り畳んだ座面板２０の厚みと２枚の側面板３０、３０の厚みとを有する板状となる。そのため、椅子１０は、閉状態においてその厚みを極力薄くすることができる。その結果、椅子１０の収納性や携帯性が向上する。さらに、閉状態の椅子１０は板状であるため、例えば複数の椅子１０を重ねた場合であっても、かさばり難い。そのため、複数の椅子１０を重ねる場合における収納性や携帯性も向上する。
【００３８】
更に、椅子１０は、開状態になると、座面板２０が開いて側面板３０、３０の上端部に対して開閉方向へ延出した形態の座面が形成される。すなわち、開状態の椅子１０は、座面板２０の一部が延出領域２４となる。これによれば、椅子１０は、正座を補助するための折り畳み椅子として好適である。すなわち、使用者は、図１９に示すように、座面板２０上に自身の臀部を載せると共に延出領域２４の下方に自身の膝下部分を入れ込むようにして座ることができる。これにより、使用者の膝下部分及び大腿部に加わる荷重を軽減することができ、正座に伴う足の痺れ等の負担を大幅に軽減することができる。
【００３９】
また、椅子１０は、主に樹脂成形品である１枚の座面板２０と２枚の側面板３０とによって構成されており、フレームとなる金属パイプ等の部品を必要としない。そのため、金属製の部品を極力減らすことができるため、同サイズの椅子に比べて軽量化を図ることが出来る。
【００４０】
また、椅子１０の座面板２０は、開状態において座面曲げ部２１の延伸方向の一方側すなわち前方へ向かって先細る形状に形成されている。これによれば、使用者は、自身の臀部を座面板２０に載せた状態で膝を折り曲げて、膝下部分を延出領域２４の下方へ入れ込み易い。その結果、使用者は、更に快適に正座をすることができる。
【００４１】
また、座面板２０は、開状態において座面曲げ部２１の延伸方向つまり前後方向の中央部に対して少なくとも一方側の端部が反り上がるように湾曲した座面を形成する。本実施形態の場合、座面板２０は、開状態において前後方向の両端部が反り上がるように湾曲した座面を形成する。これによれば、使用者が座面板２０上に臀部を載せた場合に、使用者の臀部は座面板２０の湾曲形状に沿って中央部に案内され易くなる。これにより、使用者の臀部が湾曲した座面板２０にフィットするため、使用者の臀部が座面板２０から外れ難くなり、その結果、使用者は更に快適に正座をすることができる。
【００４２】
側面板３０は、側面板３０の上端部から下端部に亘って形成された２つの側面曲げ部３６１、３６２を有し、この側面曲げ部３６１、３６２を支点に折り曲げ可能に構成されている。そして、側面曲げ部３６１、３６２は、側面板３０の中央部から外側へ膨らむように湾曲した形状に形成されている。これによれば、開状態の椅子１０の耐荷重を高くすることができる。椅子１０の耐荷重は、椅子１０のサイズや座面板２０及び側面板３０の厚み寸法によっても異なるが、例えば座面板２０及び側面板３０を約２ｍｍの厚みの板で本実施形態の椅子１０を構成した場合、１００ｋｇ以上の耐荷重を発揮させることができる。その結果、使用者が椅子１０に座った際の安定性の向上が図られる。
【００４３】
なお、以上説明した本発明は、上記実施形態に限定されるものではなく、その要旨を逸脱しない範囲で種々の実施形態に適用可能である。
座面板２０及び側面板３０は、ポリプロピレン等の樹脂材料に限られず、例えばアルミニウム等の軽量金属や木材等であっても良い。
また、椅子１０の大きさは、使用対象者や、使用環境、使用目的等に応じて適宜変更することができる。
【符号の説明】
【００４４】
図面中、１０は折り畳み椅子、２０は座面板、２１は座面曲げ部、２４は延出領域、３０は側面板、３６１は第１側面曲げ部（側面曲げ部）、３６２は第２側面曲げ部（側面曲げ部）を示す。
【図１】
2018114210.tif 000003
【図２】
2018114210.tif 000004
【図３】
2018114210.tif 000005
【図４】
2018114210.tif 000006
【図５】
2018114210.tif 000007
【図６】
2018114210.tif 000008
【図７】
2018114210.tif 000009
【図８】
2018114210.tif 000010
【図９】
2018114210.tif 000011
【図１０】
2018114210.tif 000012
【図１１】
2018114210.tif 000013
【図１２】
2018114210.tif 000014
【図１３】
2018114210.tif 000015
【図１４】
2018114210.tif 000016
【図１５】
2018114210.tif 000017
【図１６】
2018114210.tif 000018
【図１７】
2018114210.tif 000019
【図１８】
2018114210.tif 000020
【図１９】
2018114210.tif 000021
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
板状に形成され平面視において直線状に形成された座面曲げ部を有し前記座面曲げ部を支点に２つに折り曲げ可能な座面板と、
板状に形成され相互に対向して配置されて前記座面曲げ部の延伸方向に対して直角方向へ相互に開閉可能に構成され開状態において前記座面板を支持する２枚の側面板と、を備え、
２枚の前記側面板が相互に離間して開状態になると前記座面板が開いて前記側面板の上端部に対して開閉方向へ延出した延出領域を有する座面が形成され、２枚の前記側面板が相互に接近して閉状態になると前記座面板が前記座面曲げ部を支点に２つに折れ曲がって折り畳まれ、
前記座面板は、開状態において前記座面曲げ部の延伸方向の一方側へ向かって先細る形状に形成されている、
折り畳み椅子。
【請求項２】
板状に形成され平面視において直線状に形成された座面曲げ部を有し前記座面曲げ部を支点に２つに折り曲げ可能な座面板と、
板状に形成され相互に対向して配置されて前記座面曲げ部の延伸方向に対して直角方向へ相互に開閉可能に構成され開状態において前記座面板を支持する２枚の側面板と、を備え、
２枚の前記側面板が相互に離間して開状態になると前記座面板が開いて前記側面板の上端部に対して開閉方向へ延出した延出領域を有する座面が形成され、２枚の前記側面板が相互に接近して閉状態になると前記座面板が前記座面曲げ部を支点に２つに折れ曲がって折り畳まれ、
前記側面板は、当該側面板の上端部から下端部に亘って形成された２つの側面曲げ部を有し前記側面曲げ部を支点に折り曲げ可能に構成され、
前記側面曲げ部は、前記側面板の中央部から外側へ膨らむように湾曲した形状に形成されている、
折り畳み椅子。
【請求項３】
前記座面板は、前記開状態において前記座面曲げ部の延伸方向の中央部に対して少なくとも一方側の端部が反り上がるように湾曲した座面を形成する、
請求項１又は２に記載の折り畳み椅子。
【手続補正２】
【補正対象書類名】明細書
【補正対象項目名】０００５
【補正方法】変更
【補正の内容】
【０００５】
実施形態の折り畳み椅子は、板状に形成され平面視において直線状に形成された座面曲げ部を有し前記座面曲げ部を支点に２つに折り曲げ可能な座面板と、板状に形成され相互に対向して配置されて前記座面曲げ部の延伸方向に対して直角方向へ相互に開閉可能に構成され開状態において前記座面板を支持する２枚の側面板と、を備える。２枚の前記側面板が相互に離間して開状態になると前記座面板が開いて前記側面板の上端部に対して開閉方向へ延出した延出領域を有する座面が形成され、２枚の前記側面板が相互に接近して閉状態になると前記座面板が前記座面曲げ部を支点に２つに折れ曲がって折り畳まれる。前記座面板は、開状態において前記座面曲げ部の延伸方向の一方側へ向かって先細る形状に形成されている。又は、前記側面板は、当該側面板の上端部から下端部に亘って形成された２つの側面曲げ部を有し前記側面曲げ部を支点に折り曲げ可能に構成され、前記側面曲げ部は、前記側面板の中央部から外側へ膨らむように湾曲した形状に形成されている。